(57)【要約】【課題】頸椎パックを有するシステム枕において、人体の特徴、とくに、頭部から肩部の特徴に応じて、頚椎パックの高さを簡単に、安価に、且つ、的確に調整できるようにすること。【解決手段】頭部パックａと、この頭部パックａの肩側に配置された頚椎パックｂと、頚椎パックｂの両側に配置された横寝用パックｃを布製袋内の固定位置に収納したシステム化された睡眠用枕の高さを調整するための高さ調整用シートであって、利用者の肩部から首にかけての部分を隙間なく支持するための肩シート１と、この肩シート１の頭側に配置して枕全体の高さを調整するベースシート２と、頚椎パックｂを直接支持するピロー調節シート３と、ベースシート２とピロー調節シート３との間に配置される枕全体の高さを調整するセンターシート４の組合せからなる。【選択図】図１
2007000493.tif 000002
【特許請求の範囲】
【請求項１】
頭部パックと、この頭部パックの肩側に配置された頚椎パックと、頚椎パックの両側に配置された横寝用パックを布製袋内の固定位置に収納したシステム化された睡眠用枕の高さを調整するための高さ調整用シートであって、
利用者の肩部から首にかけての部分を隙間なく支持するための肩シートと、
この肩シートの頭側に配置して枕全体の高さを調整するベースシートと、
頚椎パックを直接支持するピロー調節シートと、
ベースシートとピロー調節シートとの間に配置される枕全体の高さを調整するセンターシートの組合せからなることを特徴とするシステム枕の高さ調整用シート。
【発明の詳細な説明】
【技術分野】
【０００１】
本発明は、頭部パック、頚椎パック、横寝用パック等を組み合わせてなるシステム化した睡眠用枕の高さ調整に関する。
【背景技術】
【０００２】
枕は睡眠中、頭部を心地よく支えかつ頚椎をリラックスさせる役目を持っている。
【０００３】
本願出願人は、先に特許文献１及び特願２００４−３１８２８３において、図３に示すように、頭部を支持する頭部パックａと、この頭部パックａの身体側に頚椎部分をシートを介して支持する頚椎パックｂと、その両側に横寝用パックｃを配して、利用者の体型的な特徴をシステム化して選択できるようにし、これらのパックを布カバー内に配置し、パック相互間を分離した状態で、全体を一体的に覆ってシステム化することによって利用者の頭部の形状の個人差に関係なく、快適な睡眠状態が得られる睡眠枕を提案した。
【０００４】
人体にとって、頚椎は身体の構造上、脊柱の最上部に位置し、椎骨と呼ばれる頭を支える７つの首の骨が組み合わされ、その中に神経があり、周辺を血管、筋肉が取り巻いている。そして、この頚椎は機能的には、生命を営むために重要な脳と身体を結ぶ神経の伝達通路であって、運動神経、知覚神経、自律神経は悉くこの頚椎を経由して全身へ分布している。そのため、頚椎のどこかに強い圧力が加わったり障害があったりすると、その頚椎の支配する部分に傷みや、コリなどといった不快な症状が現れてくる。
【０００５】
頚椎箇所に合わない枕の場合、頚椎やその周辺にストレスがかかり、神経や筋肉などに大きな影響を与える。中でも、自律神経は影響を受けやすく、頚椎の圧迫により筋肉が圧迫され血行が悪くなり、肩こりや筋肉の痛みを感じたり、また、圧迫により気道が狭められ、いびきの原因になったりするなど様々な障害が起きる。
【０００６】
そのため、睡眠用枕において、快適さとともに健康体を維持するためには、頚椎箇所に合わせてその高さを調整する必要がある。
【０００７】
この高さ調整そのもののための手段として、一体型の枕において、本体の上面にシート材を複数枚重ね、これをカバー布で被うことで枕の高さを調整することが知られている（特許文献２参照）。
【０００８】
しかしながら、枕の上面に高さ調整用シートを配置する方式のものを頭部パックや頚椎パックを配置したシステム枕に適用しても、安定性が悪いばかりではなく、頚椎箇所に枕が当接した状態での高さ調整にはならず、頚椎箇所に枕の構成部材が当接して、快適な睡眠状態が得られるというシステム枕の利点が損なわれてしまう。
【０００９】
そのため、本願出願人は、上記特願２００４−３１８２８３において、係るシステム枕における頚椎箇所のための高さ調整手段を提案した。先の図３に示すシートｄがこの高さ調整手段を示す。
【００１０】
この高さ調整用シートｄは、布カバーの底に積み重ねて、積み重ね枚数によってその上に載置される頚椎パックｂの高さを利用者の後頭部の形状に合わせて調整するためのもので、ポリエステル製シートからなり、頚椎パックｂの下面に配置して使用する。
【００１１】
しかしながら、頚椎パックそのものは、人体の頭部背面から肩部にかけての頚椎の下面に沿って形成されているため、単一の大きさ、厚みの調整シートの枚数のみを調整したのでは、頚椎パックの安定が悪くなり、その上、数センチ余の個人差を有し、しかも、後頭部の形状が異なる個人に対応することができず、折角、頚椎パックを設けても、快適な睡眠状態をもたらすために開発されたシステム化された枕の機能を充分に発揮できないという問題がある。
【００１２】
そのため、本願出願人は特願２００５−１８３９２において、頚椎パックの形状を変えて肩部分まで覆う大きさの特殊な形状の部材とし、その厚みを多段階に分けたものを準備することによって、頚椎位置の個人差に対応しようとすることも提案した。
【００１３】
しかしながら、このような特殊形状のものを、厚みだけを変えたものを準備することは手間を要するばかりではなく、経費的にも多くの無駄を生じることになる。
【特許文献１】登録実用新案第３０６６０８６号公報
【特許文献２】特開２００１−１６９８８７号公報
【発明の開示】
【発明が解決しようとする課題】
【００１４】
本発明が解決しようとする課題は、頭部を支持する頭部パックと、この頭部パックの肩側に頚椎部分を支持する頚椎パックと、横寝用パック等の部材を、利用者の体型的な特徴に合わせて選択し、組み合わせたシステム化した睡眠用枕において、人体の特徴、とくに、頭部から肩部の特徴に応じて、頚椎パックの高さを簡単に、安価に、且つ、的確に調整できる手段を提供することにある。
【００１５】
すなわち、本発明は、基本的な一定の大きさと厚みを有する頭部パックと頚椎パックと横寝用パックをそれぞれ定位置に配置し、これらのパックをカバー用袋に収納した睡眠用枕、すなわち、システム化された睡眠用枕の高さ、とくに、頚椎パックの高さ調整を、その下に配置するシートの枚数によって調整する方式の改良に係るものである。
【課題を解決するための手段】
【００１６】
本発明のシステム枕の高さ調整用シートは、頭部パックと、この頭部パックの肩側に配置された頚椎パックと、頚椎パックの両側に配置された横寝用パックを布製袋内の固定位置に収納したシステム化された睡眠用枕の高さを調整するための高さ調整用シートであって、利用者の肩部から首にかけての部分を隙間なく支持するための肩シートと、この肩シートの頭側に配置して枕全体の高さを調整するベースシートと、頚椎パックを直接支持するピロー調節シートと、ベースシートとピロー調節シートとの間に配置される枕全体の高さを調整するセンターシートの組合せからなる。
【００１７】
肩シートは、身体側に下降した傾斜面を有し、肩を支えることによって、枕と首、肩との間の隙間を埋めて体をしっかり支え、肩からの支えによって、敷布団への体の沈み込みを軽減するもので、枕全体の巾にほぼ相当する長さと首の長さのほぼ半分の長さに相当する巾で、最高厚み部分がほぼ３０ｍｍになるように形成されている。
【００１８】
ベースシートは、肩シートの頭側に配置され、肩シートを載置するための身体側に下降した傾斜面を有し、且つ、枕の全面に相当する長さと巾を有し、敷布団による体の沈み込みを低減し、枕全体の高さを調整する機能を持つ。その厚みは２０ｍｍ程度に形成される。
【００１９】
ピロー調節シートは、頚椎パックの部分を直接支持する機能を有し、ほぼ５ｍｍの厚みを有し、頚椎パックの巾と頚椎パックと頚椎パックの両側に配置した両横寝用パックを合わせた長さのシートを複数枚準備して必要枚数を選択する。
【００２０】
センターシートは、枕全体の高さを安定した状態で調整するためのもので、システム化された枕を構成する頭部パック、頚椎パック、それに頚椎パックの両側に配置する横寝用パックとの総合した大きさに匹敵する面大きさと、それぞれの厚みがほぼ１０ｍｍのものを複数枚準備して必要枚数を選択する。
【発明の効果】
【００２１】
本発明は、４種類の調整シートを随時組み合わせることによって、システム枕の快適さと頚椎部を健康的に支持する機能を失うことなく、個人差に適合した高さの枕を得、とくに頚椎に当たる箇所の高さを簡単に、且つ、安価に調節して、より快適な睡眠枕に調整することができる。
【発明を実施するための最良の形態】
【００２２】
以下、図に示す実施例によって本発明の実施形態を説明する。
【実施例１】
【００２３】
添付図において、図１は本発明のシステム枕における高さ調整用シートの組合せ例を示す。
【００２４】
同図において、Ａは、矢印の方向側の頭部パックａと、頭部パックａの矢印の方向とは反対方向側に配置される頚椎パックｂとその両側に配置された横寝用パックｃからなるシステム枕を構成するための構成部材を示すもので、前記従来技術を示す図３の高さ調整用シートを除いた状態に相当する。頚椎パックｂを含む枕の高さは３０ｍｍに調整されている。
【００２５】
１０は、このシステム枕に配置されて枕の高さを調整する本発明の高さ調整用シートを示す。
【００２６】
この高さ調整用シート１０は、肩シート１と、ベースシート２と、ピロー調節シート３と、センターシート４との組み合わせからなる。
【００２７】
肩シート１は、システム枕の構成部材Ａにおいて、頚椎パックｂとその両側に配置された横寝用パックｃの身体側（矢印とは反対の方向）に配置されるもので、システム枕の構成部材Ａの巾（頚椎パックｂとその両側に配置された横寝用パックｃの全長さ）にほぼ相当する長さと、肩から首にかけての１００ｍｍ程度の巾を有するもので、背中から頚椎までの間隔、すなわち、頚椎高さが３０〜４５ｍｍの利用者の場合には、これのみを使用することによって枕、とくに、頚椎パックｂの最適高さとすることができる。
【００２８】
なお、利用者の頚椎高さの測定は、出願人が先に登録実用新案第３１０８４６２号において開示した「頚椎高さ測定器」を利用することによって簡単に測定できる。
【００２９】
ベースシート２は、図示するように、肩シート１の頭側に配置するもので、同図に示すように、頭部全体を肩から支え、首と肩の隙間を埋め、しかも、体の沈み込みを軽減するために、システム枕の構成部材Ａのほぼ全体の大きさに相当する大きさとほぼ２０ｍｍの厚みを有する。
【００３０】
ピロー調節シート３は、頚椎パックｂの高さ調整に使用されるもので、頚椎パックｂの巾と、その両側に配置された横寝用パックｃとの総合長さに相当する長さと、５ｍｍ程度の厚みのシートを３枚準備した例を示している。
【００３１】
センターシート４は、頭全体の不必要な沈みを防止し、且つ、システム枕の全体の高さ調整のために、それぞれ、システム枕の構成部材Ａのほぼ全体の大きさに相当する大きさとほぼ１０ｍｍの厚みを有する発泡ウレタン製のシートを２枚準備した例を示している。そして、このセンターシート４の場合は、上下のピロー調節シート３とベースシート２の変形を伝えるために、２分割したものを使用している。
【００３２】
図１に示す本発明の高さ調整用シート１０を任意に選択して組み合わせることによって、単にシステム枕の高さを調整するだけではなく、とくに、健康維持と寝心地を左右する頚椎パックの高さ調整を行うことができる。
【００３３】
図２は、図１に示すシステム枕の構成部材Ａの高さが３０ｍｍであって、各高さ調整シートの組合せによって枕高さを３０ｍｍから８５ｍｍまで調整する場合の要領を示す図である。
【００３４】
同図に示すように、枕の調整高さは７０〜８５ｍｍの第１の高さ範囲と、５０〜６５ｍｍの第２の高さ範囲と、３０〜４５ｍｍの第３の高さ範囲に、各シートの組合せ態様により調整でき、且つ、それぞれの高さ範囲においては、５ｍｍ単位での厚みの調整が可能となる。
【００３５】
７０〜８５ｍｍの第１の高さ範囲Ｉにおいては、肩シート１とベースシート２とピロー調節シート３とセンターシート４の全てを使用する。この第１の高さ範囲Ｉにおける最大高さの８５ｍｍは、２０ｍｍ高さのベースシート２と、それぞれが５ｍｍ高さのピロー調節シート３を３枚と、それぞれが１０ｍｍ厚さのセンターシート４を２枚全て使用することによって得られる。また、同じく、第１の高さ範囲Ｉにおける第２の高さの８０ｍｍの高さの場合は、最大高さの８５ｍｍの場合より、ピロー調節シート３を１枚減じて、２枚とすることによって得られる。また、同じく、第３の高さである７５ｍｍの場合は、厚みが１０ｍｍ厚さのセンターシート４を１枚減じることによって得られる。さらに、７０ｍｍ高さの場合は、ピロー調節シート３を２枚とし、センターシート４を１枚とすることによって得られる。
【００３６】
また、高さの調整範囲が第２の高さ範囲ＩＩの５０〜６５ｍｍの場合には、センターシート４を使用しないで、ベースシート２とピロー調節シート３を組み合わせて対応する。すなわち、６５ｍｍの高さ調整の場合には、その全てを使用して対応する。また、６０ｍｍから５５ｍｍ高さには、ピロー調節シート３を順次２枚から１枚に低減することによって対応し、５０ｍｍの高さの場合には、ピロー調節シートを使用しないで、２０ｍｍ高さのベースシート２のみで対応する。
【００３７】
さらに、高さの調整範囲が第３の範囲ＩＩＩである３０〜４５ｍｍの場合には、肩シート１とピロー調節シート３のみを組み合わせて対応する。すなわち、４５ｍｍ高さの場合、肩シート１とピロー調節シート３を３枚組み合わせて対応し、順次、ピロー調節シート３の枚数を減らし、３０ｍｍの場合は、肩シート１のみによって対応する。
【００３８】
とくに、頸椎の高さ（枕の高さ）が５０ｍｍを超えた場合、頸椎と肩の間に段差が生じ、一部の筋肉に負担がかかり、こり、痛みの原因になるので、この段差を解消するためのパーツとして上述のとおり、肩シート１、ベースシート２、ピロー調節シート３及びセンターシート４を用いて使用者の体型に合わせて適宜組み合わせる。
【産業上の利用可能性】
【００３９】
上記高さ調整シートの組合せによる高さ調整範囲は、実施例に示す最大高さに限られず、個々のシートの厚みを調整することによって、さらに、それよりも高い高さにも適用できる。
【図面の簡単な説明】
【００４０】
【図１】本発明のシステム枕における高さ調整用シートの組合せ例を示す。
【図２】本発明による枕高さ調整のための高さ調整用シートの組合せ要領を示す。
【図３】システム枕の外観を示す。
【符号の説明】
【００４１】
１  肩シート
２  ベースシート    
３  ピロー調節シート
４  センターシート
Ａ  システム枕の構成部材
【図１】
2007000493.tif 000003
【図２】
2007000493.tif 000004
【図３】
2007000493.tif 000005